(57)【要約】【課題】片手でも容易にメンテナンスパネル（機械室カバー）の着脱ができ、しかも、取手口を閉塞する取手カバー（手掛け部材）が不必要には取手口から離間しないようにして異物の機械室内への侵入を防止できるショーケースを得る。【解決手段】ショーケース本体に設けられている機械室３の前面開口を開閉自在に閉塞するメンテナンスパネル４の開閉構造であって、前記メンテナンスパネル４の中央位置に取手口５を横長孔形状に形成し、この取手口５のショーケース内側に取手カバー６を内側下方に回動可能となるよう下部を軸着して取手カバー６を取手口５に開閉自在に取り付けるとともに、取手口５のショーケース内側上部に取手１０を設けた。【選択図】        図１
2008075954.tif 000002
【特許請求の範囲】
【請求項１】
ショーケース本体に設けられている機械室の前面開口を開閉自在に閉塞するメンテナンスパネルの開閉構造であって、前記メンテナンスパネルの中央位置に取手口を横長孔形状に形成し、この取手口のショーケース内側に取手カバーを内側下方に回動可能となるよう下部を軸着して取手カバーを取手口に開閉自在に取り付けるとともに、取手口のショーケース内側上部に取手を設けたことを特徴とするショーケース。
【請求項２】
前記取手の下部後方に、取手カバーの上部分が当接し、それ以上の回動を阻止するストッパーを設けたことを特徴とする請求項１記載のショーケース。
【請求項３】
前記取手カバーは、取手口を塞ぐ方向に付勢されたバネが下部に取り付けられることを特徴とする請求項１または請求項２に記載のショーケース。
【発明の詳細な説明】
【技術分野】
【０００１】
本発明は、スーパーマーケットなどの店舗に設置される例えば冷凍冷蔵ショーケースの、特にショーケースに設けられている機械室の前面開口を開閉自在に閉塞するメンテナンスパネルの開閉構造に関するものである。
【背景技術】
【０００２】
冷凍冷蔵ショーケースは、周知のごとく例えば図５に示すように、断熱壁で形成されるショーケース本体１内を、ダクト板で区画して商品収納庫２と冷気循環ダクトとを形成し、商品収納庫２の下方に機械室３を設け、この機械室３内に庫内を冷却するための冷凍装置としての圧縮機や凝縮機、また、凝縮機ファン、ドレン水受けなどを配設している。
【０００３】
機械室３は、前面を開口部に形成し、この開口部をメンテナンスパネル４で開閉自在に覆っている。そして、ショーケースのメンテナンス（凝縮機フィルターの清掃、ドレン水の排水、漏電遮断器動作確認など）時には、メンテナンスパネル４を外して前面の開口部を開放し、機械室内の機器の保守点検を行う。
【０００４】
メンテナンスパネル４を外す作業は、従来は、メンテナンスパネル４に持ち手などが設けられていなかったため、メンテナンスパネル４の左右両端に両手を添えて行っていた。
【０００５】
なお、機械室の機械室カバーに取手口を設け、ここに手掛け部材を設けて取手口に指先を差込んで手掛け部材を押しやるようにしカバーの着脱ができるようにした構造の冷蔵庫が従来存在する（例えば特許文献１参照）。
【特許文献１】特開２００３−１４３６４号公報
【発明の開示】
【発明が解決しようとする課題】
【０００６】
前記特開２００３−１４３６４号公報に記載の構造は、取手口を設けてはいるが、機械室カバーの左右両側に配置されているため、カバーを着脱する動作は従来と同様に両手で行うことになり、作業性がよくない。
【０００７】
また、手掛け部材は軸部を介して機械室カバーに回動自在に取り付けられており、取手口の縁から垂下されただけの状態で取手口を閉塞している。このため、手掛け部材に何らかの力が加わると簡単に手掛け部材が取手口から離間し、取手口が開放されて異物などが機械室内に侵入するおそれがある。
【０００８】
本発明は前記従来例の不都合を解消するものとして、片手でも容易にメンテナンスパネル（機械室カバー）の着脱ができ、しかも、取手口を閉塞する取手カバー（手掛け部材）が不必要には取手口から離間しないようにして異物の機械室内への侵入を防止できるショーケースを提供するものである。
【課題を解決するための手段】
【０００９】
請求項１記載の本発明は、ショーケース本体に設けられている機械室の前面開口を開閉自在に閉塞するメンテナンスパネルの開閉構造であって、前記メンテナンスパネルの中央位置に取手口を横長孔形状に形成し、この取手口のショーケース内側に取手カバーを内側下方に回動可能となるよう下部を軸着して取手カバーを取手口に開閉自在に取り付けるとともに、取手口のショーケース内側上部に取手を設けたことを特徴とする。
【発明の効果】
【００１０】
以上述べたように本発明のショーケースは、メンテナンスパネルの中央に取手口を設けたから、片手で容易に取手口内に設けた取手を掴むことができ、両手でメンテナンスパネルの着脱操作を行わずにすみ、作業性のよいものになる。
【００１１】
また、取手カバーを指先で機械室内方に押しやれば、この取手カバーがガイドとなって取手に指先が掛かるから、メンテナンスパネルの着脱が確実に行える。
【発明を実施するための最良の形態】
【００１２】
以下、図面について本発明の実施形態を詳細に説明する。図１は本発明のショーケースの実施形態を示す要部である機械室の前面に設けたメンテナンスパネルの部分の縦断側面図、図２は同上裏面側の斜視図で、ショーケースの全体構成は既に説明したとおりであるから、ここでの詳細な説明は省略する。
【００１３】
本発明は、特にショーケースの機械室３の前面開口を閉塞するメンテナンスカバー４の開閉構造に関するものであり、メンテナンスカバー４の中央に横長孔形状の取手口５を形成し、この取手口５の機械室３内側を取手カバー６で開閉自在に閉塞する。
【００１４】
取手カバー６は、側面Ｌ字形に形成した板状のもので、下部を機械室３の内側に配設したスプリング蝶番７に結合して、取手口５の内側に回動自在に軸着した。スプリング蝶番７は取手カバー６を取手口５の方向に押圧するように付勢されている。図中８はスプリング蝶番７をメンテナンスパネル４の内側に固定するための蝶番取付板を示す。
【００１５】
取手口５の上方で、機械室３の内側に取手固定板９で取手１０を取り付ける。取手１０は断面１／４円形のドーム型で、メンテナンスパネル４側に指先が当接する当接板１０ａが設けられる。
【００１６】
また、取手固定板９は、本体部が水平板状に形成されてこの本体部の上に取手１０が固定される。そして、取手固定板９の機械室３内側を取手口５の方向に鋭角に折り曲げ、この斜めの折り曲げ部を取手カバー６の開時のストッパー９ａとする。
【００１７】
なお、取手カバー６は、ショーケースの外観が損われることのないよう、メンテナンスパネル４に着色された色と同一色に着色する。これにより、取手口５を大きな横長孔形状に形成してもこれが目立つことはなくなる。
【００１８】
次に動作を説明する。図１、図２に示すように機械室３内の機器のメンテナンス時以外の時には、取手カバー６はスプリング蝶番７の弾力によって取手口５の方向に押圧され、取手口５は取手カバー６でその内側から閉塞されている。
【００１９】
よって、取手口５が大きな横長孔に形成されていても異物が機械室３内に侵入することを阻止でき製品故障を防止できる。
【００２０】
メンテナンス時などにメンテナンスパネル４を外すには、図３に示すように取手口５に指先１１を差込んでスプリング蝶番７の弾力に抗して取手カバー６を後方、すなわち機械室３の内方に押せば、取手カバー６は下部のスプリング蝶番７を回動軸として上部がストッパー９ａに当接する位置まで後方下方に回動する。
【００２１】
この状態で取手カバー６はストッパー９ａにより係止され、取手口５の内側で上部が後方下方に傾いて斜めになっている。よって、指先１１をこの傾斜状態の取手カバー６をガイドにしてこれに沿ってスライドさせてさらに斜め上方に差し入れれば、取手固定板９の上部に固定されている取手１０に到達して指先１１が取手１０に引っ掛る。
【００２２】
これにより、指先１１は確実に取手１０の位置に誘導され、片手でメンテナンスパネル４を開閉できる。
【００２３】
メンテナンスパネル４を閉じた後に取手口５から指先１１を引き抜けば、取手カバー６は、スプリング蝶番７の弾力により取手口５を塞ぐ方向に回動して取手口５を確実に閉塞する。よって、取手口５からの機械室３内への異物侵入などを確実に防止できる。
【図面の簡単な説明】
【００２４】
【図１】本発明のショーケースの実施形態を示す要部である機械室の前面に設けたメンテナンスパネルの部分の取手カバーを閉じた状態の縦断側面図である。
【図２】本発明のショーケースの実施形態を示す要部である機械室の前面に設けたメンテナンスパネルの部分の取手カバーを閉じた状態の裏面側の斜視図である。
【図３】本発明のショーケースの実施形態を示す要部である機械室の前面に設けたメンテナンスパネルの部分の取手カバーを開いた状態の縦断側面図である。
【図４】本発明のショーケースの実施形態を示す要部である機械室の前面に設けたメンテナンスパネルの部分の取手カバーを開いた状態の裏面側の斜視図である。
【図５】本発明のショーケースの実施形態を示す正面図である。
【符号の説明】
【００２５】
１  ショーケース本体            ２  商品収納庫
３  機械室                      ４  メンテナンスパネル
５  取手口                      ６  取手カバー
７  スプリング蝶番              ８  蝶番取付板
９  取手固定板                  ９ａ  ストッパー
１０  取手                      １０ａ  当接板
１１  指先
【図１】
2008075954.tif 000003
【図２】
2008075954.tif 000004
【図３】
2008075954.tif 000005
【図４】
2008075954.tif 000006
【図５】
2008075954.tif 000007